(57)【要約】本発明は、照明器具に対する反射体に係る。当該反射体は、光を発するよう意図されるランプを受けるキャビティ（１０１）と、キャビティの周囲に位置決めされる、第１の方向において配置される第１の環状ルーバー部材（２０１）及び対向する第２の方向において配置される第２の環状ルーバー部材（２０２）とを有する。
2008513933.tif 000002
【特許請求の範囲】
【請求項１】
照明器具に対する反射体であって、
光を発するよう意図されるランプを受けるキャビティと、
前記キャビティの周囲に位置決めされる、第１の方向において配置される第１の環状ルーバー部材、及び対向する第２の方向において配置される第２の環状ルーバー部材と、
を有する、
反射体。
【請求項２】
前記キャビティは、拡散素子によって一側において閉じられる、
請求項１記載の反射体。
【請求項３】
前記キャビティは、有色素子によって一側において閉じられる、
請求項１記載の反射体。
【請求項４】
前記キャビティは、前記ランプによって発される熱を吸収する手段によって一側において閉じられる、
請求項１記載の反射体。
【請求項５】
前記キャビティは、部分的反射性又は屈折性素子によって一側において閉じられる、
請求項１記載の反射体。
【請求項６】
請求項１記載の反射体を有する照明器具であって、
前記第２の環状ルーバー部材からくる光を反射する反射部材を有する、
照明器具。
【請求項７】
前記第２の環状ルーバー部材と前記反射部材との間に拡散素子を更に有する、
請求項６記載の照明器具。
【請求項８】
前記第２の環状ルーバー部材と前記反射部材との間に有色素子を更に有する、
請求項６記載の照明器具。
【請求項９】
前記第２の環状ルーバー部材と前記反射部材との間に熱を吸収する手段を更に有する、
請求項６記載の照明器具。
【請求項１０】
前記第２の環状ルーバー部材と前記反射部材との間に部分的反射性又は屈折性素子を更に有する、
請求項６記載の照明器具。
【発明の詳細な説明】
【技術分野】
【０００１】
本発明は、照明器具に対する反射体に係る。当該反射体は、環状ルーバー部材を有する。本発明はまた、かかる反射体を有する照明器具に係る。
【背景技術】
【０００２】
ＥＰ１  ０７４  ７８７（特許文献１）は、照明器具に対する反射体を記載する。この照明器具は、広場、あるいは他の公共又は個人的な区域の照明等である屋外照明に対して意図される。かかる反射体は、図１ａ及び図１ｂ中に示される。図１ａは、かかる反射体の断面図であり、図２ｂは斜視図である。該反射体は、ランプを受けるキャビティ１０１、及びランプの周囲において環状ルーバー部材１０２を有する。環状ルーバー部材１０２は、環状ルーバー部材１０２の傾斜に依存する角度を有して、下向き方向に配置される。これは、環状ルーバー部材を通る光が主に下向きに方向付けられることを意味する。光の主な方向は、図１ａでは点線矢印によって示される。
【０００３】
反射体は、回転の軸ＣＣを有する。環状ルーバー部材の方向は、この技術分野において広く使用される。環状ルーバー部材を有する反射体は、反射体を通る光の大部分が下方向下向き構成要素を有する際に、下方向に向けられる、としばしば言われる。当然のことながら、「下方向」又は「上方向」という表現は、反射体の使用に依存する。したがって、環状ルーバー部材１０２の方向は、環状ルーバー部材１０２に対して平行であるベクトルＡＢを有する構成要素の方向によってより明らかに定められ得る。かかるベクトルは、回転の軸ＣＣから反射体の外側まで方向付けられ、前出の構成要素は、回転の軸ＣＣに対して平行である。このベクトルＡＢ、及び回転の軸ＣＣに対して平行であるその構成要素Ａ’Ｂ’は、図１ａ中に示される。構成要素Ａ’Ｂ’は、環状ルーバー部材１０２の方向を定める。
【０００４】
環状ルーバー部材１０２は、下部及び上部表面を有する。照明器具が地面を照明するよう屋外に置かれる際、下部表面は地面に面し、上部表面は空に面する。環状ルーバー部材１０２上の多くの可能な反射により、光は、上向きに、即ち空に向かって反射体を出得る。これは、光害に繋がる。特許文献１は、環状ルーバー部材の上部表面に吸収材料を備えることで、かかる問題を解決する。
【０００５】
しかしながら、光の大部分は、環状ルーバー部材の上部表面によって吸収される。結果として、ランプによって発される光と地面を照らすよう効率的に使用される光との間の比率は、低い。
【特許文献１】ＥＰ１  ０７４  ７８７
【発明の開示】
【発明が解決しようとする課題】
【０００６】
本発明は、改善された効率性を有する照明器具に対する反射体を与える、ことを目的とする。
【課題を解決するための手段】
【０００７】
かかる目的を達成するよう、本発明は、光を発するよう意図されるランプを受けるキャビティと、該キャビティの周囲に位置付けられる、第１の方向において配置される第１の環状ルーバー部材及び対向する第２の方向において配置される第２の環状ルーバー部材と、を有する、反射体を提案する。
【０００８】
本発明はまた、かかる反射体を有する照明器具を提案する。該照明器具は、第２の環状ルーバー部材から入ってくる光を反射するよう、反射部材を有する。
【０００９】
本発明によれば、該反射体は、対向する方向において向けられる少なくとも２つの環状ルーバー部材の組合せである。かかる反射体を有する照明器具が地面を照らすよう屋外で使用される際、第１の環状部材は、光を地面に向かって方向付け、第２の環状ルーバー部材は、空に向かって光を方向付ける。言い換えれば、第１の環状ルーバー部材によって方向付けられる光の平均的な方向（ｍｅａｎ  ｄｉｒｅｃｔｉｏｎ）は第１の方向であり、第２の環状ルーバー部材によって方向付けられる光の平均的な方向は第２の方向である。照明器具は、空に向かって発される光を地面に向かって反射させる反射部材を有する。結果として、この照明器具において損失される光はなく、照明器具の効率性は増大される。更には、空に向かって発される光は、第１の環状ルーバー部材によって制御される。これによって、地面上の照明均一性が改善される。空に向かって照明器具から出る光が無いため、光害も低減される。更に、地面に向かって反射される前に空に向かって反射される光の制御は、制御されて照明される反射部材の優れた装飾的且つ視覚的態様を与える。
【００１０】
有利には、キャビティは、拡散素子によって一側において閉じられる。照明器具が地面を照らすよう屋外に置かれる際、拡散素子は、キャビティティの上部上に、即ち反射体と反射部材との間に置かれる。これは、地面上の照明均一性を更に向上させる。
【００１１】
望ましくは、キャビティは、有色素子によって一側において閉じられる。結果として、有色光は、反射部材上に投射され、照明器具の装飾的態様を更に高める。
【００１２】
有利には、キャビティは、ランプによって発される熱を吸収する手段によって一側において閉じられる。これによって、反射部材又は照明器具の他の構成要素の過熱が避けられる。該過熱は、照明器具を損傷し得る。
【発明を実施するための最良の形態】
【００１３】
本発明のこれらの及び他の態様は、以下に記載される実施例を参照して明らかに説明される。
【００１４】
本発明に従った反射体は、図２ａ及び図２ｂ中に示される。図２ａは反射体の断面図であり、図２ｂは反射体の斜視図である。この反射体は、キャビティ１０１と、キャビティティの周囲に配置される第１の環状ルーバー部材２０１及び第２の環状ルーバー部材２２０２とを有する。第１及び第２の環状ルーバー部材２０１及び２０２は、回転の軸ＣＣに対して左右対称である。しかしながら、第１及び／又は第２の環状ルーバー部材２０１及び／又は２０２は、非対称であってもよい。環状ルーバー部材は、少なくとも部分的に回転面であるルーバー部材である。
【００１５】
第１の環状ルーバー部材２０１の方向は、ベクトルＡ’Ｂ’によって示され、第２の環状ルーバー部材２０２の方向は、ベクトルＤ’Ｅ’によって示される。第１及び第２の環状ルーバー部材２０１及び２０２の方向は、対向している。結果として、先行技術の反射体が１つのみの立体角における制御された光の放射をもたらす一方、本発明に従った反射体は、２つの対向する立体角における制御された光の放射をもたらす。この特性は、例えば、１つのみの照明器具を有して２つの別個の表面を照明するよう使用され得る。例えば、室内の２つの平行な壁を照明することを望む場合、反射体は、該２つの壁に対して水平及び垂直に置かれ得、第１の環状ルーバー部材からくる光が第１の壁を照明し、第２の環状ルーバー部材からくる光が第２の壁を照明する。他の応用は、ホールの床及び天井の照明、あるいは、反射体が天蓋下に置かれる際の地面と天蓋の照明である。
【００１６】
しかしながら、本発明に従った反射体はまた、図３中に示される通り、１つのみの立体角において光を発するよう意図される照明器具における先行技術の反射体を有利に置き換える。
【００１７】
本発明に従った照明器具は、図３中に示される。この照明器具は、本発明に従った反射体３００、追加的な素子３０１、反射部材３０２、基部３０３、及び光透過性筐体３０４を有する。反射体３００は、図２ａ及び図２ｂ中に示される反射体に類似する。光透過性筐体３０４は、ガラス又はプラスチック等の透明又は半透明の材料を有して作られ得る。該筐体は、例えばボウル型又は円筒形等の多くの形状を有し得る。基部３０３は、照明器具内に反射体３００を取り付けるよう意図され、支柱上又は壁のブラケット上に照明器具を取り付けるようにも使用され得る。次の例では、照明器具は、公共の屋外区域における地面の照明に対して、支柱に取り付けられる。基部３０３０は故に、反射部材３０２の下方にある。しかしながら、本発明の照明器具は、多くの応用において使用され得る。特には、該照明器具は、天井の照明又はファサード照明に対して地面上に取り付けられ得る。この場合、基部３０３は反射部材３０２の上方にある。
【００１８】
下向きに向けられた環状ルーバー部材を有する反射体３００の下部を通る光は、地面に向かって方向付けられる。上向きに向けられた環状ルーバー部材を有する反射体３００の上部を通る光は、反射部材３０２によって地面に向かって反射される前に空に向かって方向付けられる。したがって、光の放出は、反射体の下部及び上部において制御され、このことが、地面上の優れた照明均一性を確実なものとする。
【００１９】
更には、図３中の照明器具の効率性は、反射体３００の上部において光の放射を制御するため、先行技術の照明器具に対して改善されている。測定は、図３中に示される照明器具、並びに、本発明の反射体の代わりに先行技術の反射体が置かれている照明器具において行われた。先行技術の反射体はその上部において開かれているため、一定量の光は、ランプから空に向かって直接放射され、故に反射部材３０２によって地面に向かって反射される。しかしながらこの放射は制御されず、このことがより低い効率性に繋がる。本発明に従った照明器具の効率性は、先行技術に従った照明器具の効率性に対して２５％向上される。
【００２０】
追加的な素子３０１は、拡散素子、有色素子、あるいは、部分的屈折性又は反射性素子であり得る。光が追加的な素子３０１を通るため、拡散素子は、下向きに反射される光の照明均一性、及び反射部材３０２上の光の照明均一性を向上させ、反射部材３０２の装飾的態様を高める。有色素子は、反射部材３０２上に有色光を与え、装飾的態様を高める。更には、地面を照射する光の一部が有色にされ、地面を照射するよう使用される光の色を修正し得る。部分的反射性又は屈折性素子は、反射部材３０２及び地面上に投射されるパターンを有し得る。故に追加的素子は、第２の環状ルーバー部材２０２からくる光を修正する素子である。
【００２１】
追加的な素子３０１はまた、ヒートスクリーンであり得、ランプによって生成される熱から照明器具の上方部を保護する。これによって、照明器具を損傷し得る、例えば反射部材３０２の過熱が避けられる。
【００２２】
請求項中の参照符号は、請求項を制限するものとして解釈されるべきではない。「有する」という動詞及びその活用形の使用が請求項中に定義付けられるもの以外の他の要素の存在を除外するものではない、ことは明らかである。単数形の要素は、その要素の複数の存在を除外するものではない。
【図面の簡単な説明】
【００２３】
【図１】図１ａ及び図１ｂは、先行技術に従った反射体を示す。
【図２】図２ａ及び図２ｂは、本発明に従った反射体を示す。
【図３】本発明に従った照明器具を示す。
【図１ａ】
2008513933.tif 000003
【図１ｂ】
2008513933.tif 000004
【図２ａ】
2008513933.tif 000005
【図２ｂ】
2008513933.tif 000006
【図３】
2008513933.tif 000007
【国際調査報告】
2008513933.tif 000008
2008513933.tif 000009